(57)【要約】【課題】  携帯電話機に着信があったことをより確実に検知することが可能な携帯電話機ホルダを提供する。【解決手段】  携帯電話機ホルダ１００は、携帯電話機１が着信時に発信する無線信号（着信応答信号）を傍受することで、着信があったことを検知する。また、携帯電話機ホルダ１００は、携帯電話機１が例えばマナーモードの着信時に発生させる振動を検出して着信があったことを検知する。このように２種類の動作原理を併用するので、例えば携帯電話機ホルダ１００が着信応答信号をうまく傍受できなかった場合であっても、携帯電話機１の振動による着信報知を検知することができる。つまり、携帯電話機に着信があったことをより確実に検知することが可能となる。【選択図】      図１
2006211231.tif 000002
【特許請求の範囲】
【請求項１】
携帯電話機が収納される収納部と、
携帯電話機が着信時に無線基地局に対して発信する着信応答信号を受信する無線部と、
前記収納部に収納されている携帯電話機の振動を検出する振動検出手段と、
前記無線部による着信応答信号の受信又は前記振動検出手段による振動の検出のうち、少なくともいずれか一方がなされた場合には、携帯電話機に着信があったことを報知する報知手段と
を備える着信表示機能付き携帯電話機ホルダ。
【発明の詳細な説明】
【技術分野】
【０００１】
本発明は、携帯電話機を収納するとともに、その携帯電話機に着信があったことを報知することが可能な着信表示機能付き携帯電話機ホルダに関する。
【背景技術】
【０００２】
携帯電話機は、移動時に手軽に持ち運べるように、小型かつ軽量に作られている。このため、例えば携帯電話機を机上に置いておくと、利用者が知らない間に書類等の山に埋もれてしまったり陰に隠れてしまったりして携帯電話機を見失い、それを探し出すのに苦労することがある。そこで、例えば携帯電話機専用の卓上ホルダを用意しておき、常にそのホルダに携帯電話機を置くようにすれば、上記のような事態を防止することができる。例えば特許文献１には、携帯電話機に着信があったことを通知する機能を持たせた携帯電話機専用のホルダについて開示されている。この携帯電話機ホルダは、着信時に携帯電話機から発信される無線波を検知すると、ＬＥＤ（Light Emitting Diode）を点灯させるとともに、動物等のキャラクタの模型を回転させることで、着信があった旨を利用者に確実に通知するというものである。
【０００３】
ところが、特許文献１に記載の発明では、携帯電話機から発信される無線信号に基づいて着信の有無を判断しているので、携帯電話機とホルダとの間の無線伝搬環境が悪い場合には、着信があったことを検知することが出来ないおそれがある。
【特許文献１】登録実用新案第３０６６１１９号公報
【発明の開示】
【発明が解決しようとする課題】
【０００４】
そこで、本発明は、携帯電話機に着信があったことをより確実に検知することが可能な携帯電話機ホルダを提供することを目的とする。
【課題を解決するための手段】
【０００５】
上記課題を解決するため、本発明は、携帯電話機が収納される収納部と、携帯電話機が着信時に無線基地局に対して発信する着信応答信号を受信する無線部と、前記収納部に収納されている携帯電話機の振動を検出する振動検出手段と、前記無線部による着信応答信号の受信又は前記振動検出手段による振動の検出のうち、少なくともいずれか一方がなされた場合には、携帯電話機に着信があったことを報知する報知手段とを備える携帯電話機ホルダを提供する。この携帯電話機ホルダによれば、着信応答検知手段による着信応答信号の検出のみならず、振動検出手段による振動の検出をも併用して携帯電話機における着信を判断するので、より確実に着信の有無を判断することが可能となる。
【発明を実施するための最良の形態】
【０００６】
次に本発明を実施するための最良の形態について説明する。
図１は、実施形態に係る携帯電話機ホルダ１００と携帯電話機１の外観を示す斜視図である。携帯電話機ホルダ１００は例えば半球状や円柱状或いは直方体等の任意の形状であり、その上面には、携帯電話機１を収納するための収納部１１と、携帯電話機１から発信される無線信号を受信するためのアンテナ１２が設けられている。携帯電話機１から発信される無線信号は、本来は携帯電話網の無線基地局（図示略）に宛てて発信されるものであるが、携帯電話機ホルダ１００はこの無線信号をアンテナ１２によって傍受するというわけである。また、携帯電話機ホルダ１００の側面には、ＬＥＤやレーザダイオード或いは電球等の周知の発光デバイスによって構成された表示器１３が設けられている。
【０００７】
次に、図２は、携帯電話機ホルダ１００の機能構成を示すブロック図である。
この携帯電話機ホルダ１００の動作原理は２通りある。まず、１つ目は携帯電話機１が着信時に発信する無線信号（着信応答信号）を傍受することで、携帯電話機１に着信があったことを検知するというものである。具体的には、携帯電話機１が発信した無線信号はアンテナ１２によって受信され、無線部２０の検波器２１によって検波される。ベースバンド処理部２２は、検波後のベースバンド信号にレベル調整等のべ−スパンド処理を施す。無線部２０によって着信応答信号が検出されると、報知部４０の表示制御部４１は表示信号を生成し、これを表示器１３に供給して点灯させる。なお、電源３０は、携帯電話機ホルダ１００の各部に電力を供給する電池や商用電源である。
【０００８】
ここで、様々な無線信号の中から着信応答信号のみを検出する方法としては、次のようなものがある。
例えば着信応答信号と通話信号をそれぞれ送受信するための無線チャネルの違いを利用して着信応答信号を検出する。具体的には、携帯電話機１から着信応答信号を発信する際の無線チャネルに検波器２１をチューニングしておいて、着信応答信号のみを受信するようにすればよい。
また、着信応答信号と通話信号のそれぞれの信号レベル（強度）の違いを利用することで、着信応答信号を検出するようにしてもよい。例えば３Ｇ携帯電話方式では、通話中は送信出力制御（いわゆるパワーコントロール）を行う一方、着信応答信号については送信出力制御を行わないため、着信応答信号の方が通話信号より高い信号レベルで送信されることになる。そこで、検波器２１のスレッショルド値を上記の２種類の信号のレベルの間に設定すれば、無線部２０は通話信号を検出せずに着信応答信号のみを検出することが可能となる。
【０００９】
次に、携帯電話機ホルダ１００の２つ目の動作原理は、携帯電話機１がいわゆるマナーモードにおいて着信があった時に発生させる振動を検出することで着信の有無を判断するというものである。このため、振動センサ５１は、携帯電話機１の筐体と接触するような、収納部１１の内面に設けられており、携帯電話機１の振動状態に応じた信号を振動感知部５２に出力する。振動感知部５２は、この出力信号を解析し、一定期間以上連続した振動を検出した場合には、表示制御部４１にその旨を通知する。一方、振動感知部５２は、一定期間以下の単発の振動を検出しただけでは、表示制御部４１に対して何ら通知を行わない。これによって、例えば人間が携帯電話機ホルダ１００にぶつかったときに発生する振動（単発の振動）に基づいて誤って着信報知する、というような事態を防止することができる。
【００１０】
表示制御部４１は表示に関する様々な制御を行う。例えば、着信後の一定時間だけ表示器１３を点灯させたり、表示器１３が備える複数の表示素子を順々に表示させたり、或いは色の異なる表示素子を適宜表示させたりする。また、携帯電話機１は、着信に関わる制御信号を無線基地局との間で送受信することで通話チャネルを確立し、通話状態に入ると無線基地局との間で通話信号を送受信する。表示制御部４１は、無線基地局との間の着信制御シーケンスにおいて携帯電話機１が最初に発信する着信応答信号を検出すると、その後の一定時間だけ表示器１３を点灯させるようにしてもよいし、通話信号を検出している間は（つまり通話中は）表示器１３を点灯し続けるようにしてもよい。
【００１１】
次に、図３は実施形態の動作例を示すシーケンス図である。
無線基地局から着信通知信号によって一斉呼出が行われると（ステップＳ１）、呼び出された携帯電話機１は、これに応答する着信応答信号を無線基地局宛に発信する（ステップＳ２）。携帯電話機ホルダ１００はこの着信応答信号を傍受し（ステップＳ３）、着信応答信号であることを検知すると（ステップＳ４）、表示器１３を点灯させて着信があった旨を報知し（ステップＳ５）、一定期間経過後に消灯する（ステップＳ６）。一方、携帯電話機１と無線基地局とは、周知の回線接続シーケンスに従って通話チャネルを確立し、これが確立し終わったら、携帯電話機１は着信の旨を着信音又は振動によって利用者に報知する（ステップＳ７）。周知の回線接続シーケンスには一定の時間を要するので、図３に示すように、ステップＳ５において携帯電話機ホルダ１００が表示器１３を点灯させた時刻ｔ１と、ステップＳ７において携帯電話機１が着信の旨を報知した時刻ｔ２との時間差分（＝Δｔ）だけ、携帯電話機ホルダ１００は携帯電話機１よりも早く着信を報知することができる。
【００１２】
また、ステップＳ３において携帯電話機ホルダ１００が着信応答信号をうまく傍受できなかった場合には、ステップＳ７における携帯電話機１の振動による着信報知を検知して、自らも表示器１３を点灯させて着信を報知することになる。よって、携帯電話機１に着信があったことをより確実に検知することが可能となる。
【００１３】
次に、上記実施形態の適用例について説明する。
図４は、携帯電話機ホルダ１００を用いたシステム全体の構成を示す図である。
家屋等の建造物の内部空間においては、外壁の材質等の影響により無線伝搬環境が悪い場合がある。図４に示したシステムでは、この問題を解決するべく、無線基地局２００から送信される無線信号を建造物５０の屋外に設置された屋外アンテナ２０１で受信し、受信した無線信号を屋外アンテナ２０１とケーブル接続された屋内アンテナ１０１から屋内に送信するようにしている。携帯電話機１は、この屋内アンテナ１０１から送信される無線信号を受信したり、屋内アンテナ１０１から屋外アンテナ２０１を介して無線信号を無線基地局２００に送信したりする。このように構成されたシステムにおいて、携帯電話機ホルダ１００は、上述した動作原理に従って、着信応答信号を傍受した場合或いは携帯電話機１の振動を検知した場合の少なくともいずれか一方において、表示器１３を点灯させて着信を報知する。
【００１４】
次に、図５は、図４の屋内アンテナ１０１の代わりに、通信ケーブル５１によって屋外アンテナ２０１と携帯電話機ホルダ１０１を通信接続し、通信ケーブル５２によって携帯電話機１０１と携帯電話機１を通信接続した例を示している。無線基地局２００から送信される無線信号は屋外アンテナ２０１で受信され、受信された信号が屋外アンテナ２０１から通信ケーブル５１，５２を介して携帯電話機ホルダ１０１及び携帯電話機１に供給される。図６は、屋外アンテナ２０１、携帯電話機ホルダ１０１及び携帯電話機１の構成をより詳細に示した図である。通信ケーブル５２の一端は、収納部１１の内部にあるコネクタに接続され、他端は携帯電話機１のコネクタピンに接続されている。
【００１５】
このシステムにおいて、例えば、無線基地局２００から着信通知信号が送信されてきた場合、その着信通知信号は通信ケーブル５１、５２を介して携帯電話機１に供給されることになる。そして、この着信通知信号に応じて、携帯電話機１は振動により着信を報知する。携帯電話機ホルダ１００は、携帯電話機１の振動を検知すると、表示器１３を点灯させて着信を報知する。このシステムのように屋内で無線を使用しない場合には、自由空間損失がなく安定した通信が可能となる。
【００１６】
以上説明したように、本実施形態によれば、携帯電話機に着信があったことをより確実に検知することが可能となる。
ところで、携帯電話機における振動による着信報知は、前述したように、いわゆるマナーモードと呼ばれる動作モードで行われる。このマナーモードは、例えば会議中とか電車に乗車中に携帯電話機の近くにいる人に耳障りな着信音を聴かせなくて済む、という利点がある。しかし、その一方で、利用者がマナーモードから通常の着信音報知の動作モードに切り替えるのを忘れることがあり、その場合には、利用者は着信があったことに気がつきにくい、ということがある。上述した実施形態では、携帯電話機１をマナーモードに設定したままであっても、その携帯電話機１を携帯電話機ホルダ１００に収納するだけで、表示器１３によって、利用者に分かりやすい着信報知を行うことができる。つまり、利用者の立場から見れば、動作モードをマナーモードからわざわざ通常の着信音報知の動作モードに切り替えなくてもよい、というメリットがある。
なお、携帯電話機ホルダ１００の着信報知は、表示器１３によるものに限らず、スピーカから着信音を放音することで報知するようなものであってもよい。
【図面の簡単な説明】
【００１７】
【図１】本発明の実施形態に係る携帯電話機ホルダ及び携帯電話機の外観を示す斜視図である。
【図２】同実施形態における携帯電話機ホルダの機能構成を示すブロック図である。
【図３】同実施形態における動作例を示すシーケンス図である。
【図４】同実施形態の適用例を示すブロック図である。
【図５】同実施形態の適用例を示す図である。
【図６】同適用例における屋外アンテナ、携帯電話機ホルダ及び携帯電話機の構成を示した図である。
【符号の説明】
【００１８】
１・・・携帯電話機、１００・・・携帯電話機ホルダ、１１・・・収納部、１２・・・アンテナ、１３・・・表示器、２０・・・無線部、３０・・・電源、４０・・・報知部、５０・・・振動検出部。
【図１】
2006211231.tif 000003
【図２】
2006211231.tif 000004
【図３】
2006211231.tif 000005
【図４】
2006211231.tif 000006
【図５】
2006211231.tif 000007
【図６】
2006211231.tif 000008